(57)【特許請求の範囲】
【請求項１】
給湯器と浴槽とを連結する１本の外部水管と、
外部水管と給湯器内部に設けられたリザーブタンクとを連結する内部水管と、
内部水管に設けられ、浴槽の水をリザーブタンクへ送ると共にリザーブタンクの水を浴槽へ送るポンプと、
内部水管に設けられた熱交換器と、
熱交換器を通過する水を加熱するバーナと、
浴槽の水の温度を検知する風呂温度センサと、
ポンプを作動させて浴槽の所定量の水をリザーブタンクへ送った後に、リザーブタンクの所定量の水をポンプを作動させて熱交換器を経由させてバーナで加熱して浴槽へ送ることを、風呂温度センサによる検知温度が設定温度に達するまで繰り返す制御装置と
を備えたことを特徴とする風呂給湯器。
【請求項２】
前記内部水管が、前記外部水管と前記リザーブタンクとを連結する一対の第１水管及び第２水管と、第１水管と第２水管とを連結する第３水管とからなり、
第１水管と第３水管との連結部に、第１水管の浴槽側と第３水管とを連通する水路と第１水管のリザーブタンク側と第３水管とを連通する水路とを切り換える第１三方弁が設けられ、
第２水管と第３水管との連結部に、第３水管と第２水管の浴槽側とを連通する水路と第３水管と第２水管のリザーブタンク側とを連通する水路とを切り換える第２三方弁が設けられ、
第３水管に第１三方弁側から第２三方弁側へ水を送るポンプが設けられ、
第２水管の第２三方弁より浴槽側に前記熱交換器が設けられており、
前記制御装置が、第１三方弁及び第２三方弁を制御して第１水管の浴槽側から第３水管を経由して第２水管のリザーブタンク側へ向かう水路を形成し、ポンプを作動させて浴槽の所定量の水をリザーブタンクへ送る動作と、第１三方弁及び第２三方弁を制御して第１水管のリザーブタンク側から第３水管を経由して第２水管の浴槽側へ向かう水路を形成し、ポンプを作動させてリザーブタンクの所定量の水を熱交換器を経由させてバーナーで加熱して浴槽へ送る動作とを、前記風呂温度センサによる検知温度が設定温度に達するまで繰り返させることを特徴とする請求項１記載の風呂給湯器。
【請求項３】
前記外部水管に連結されて浴槽に設けられた給排水口が、外部水管から浴槽への水の入口と、浴槽から外部水管への水の出口とを別個に備え、該入口には、外部水管から浴槽へ水が流入する方向にのみ開く入口弁が設けられ、該出口には、浴槽から外部水管へ水が流出する方向にのみ開く出口弁を設けると共に、該出口弁から外部水管へ流出する水を濾過するためのフィルターが設けられていることを特徴とする請求項１又は２に記載の風呂給湯器。
【発明の詳細な説明】
【０００１】
【発明の属する技術分野】
本発明は、一般家庭用の追い焚き機能付き風呂給湯器に関する。
【０００２】
【従来の技術】
従来、この種の風呂給湯器では、給湯器と浴槽とを連結する外部水管が、浴槽の水を給湯器へ送り込むため、また、給湯器内で加熱した水を浴槽へ送り出すため、一対の水管により構成されている。そして、給湯器の内部水管に設けたポンプにより、浴槽の水が一方の外部水管を経由して給湯器へ送り込まれ、熱交換器を通過する際にバーナにより加熱され、他方の外部水管を経由して浴槽へ送り出される。そして、浴槽内の水温を検知する温度センサによる検知温度が設定温度に達するまで、前記のように浴槽の水を浴槽と給湯器との間で連続的に循環させて、給湯器を通過する水を加熱することにより、追い焚きを行っている。
【０００３】
【発明が解決しようとする課題】
しかしながら、前記のような連続循環タイプの風呂給湯器では、給湯器と浴槽とを連結するのに一対の外部水管を使用するので、外部水管の総距離は、給湯器の浴槽からの設置距離の略２倍となる。
【０００４】
ところで、給湯器と浴槽とを連結するのに使用できる外部水管の総距離は、外部水管と内部水管とで形成される水路を循環させるポンプの能力に左右される。従って、給湯器内部のレイアウト設計上の要請から、ポンプが小型化される等して、ポンプ能力が小さくなる場合には、循環水路を形成する外部水管の総距離も制限される。従って、このような場合には、給湯器の浴槽から設置できる距離が短く制限される不都合が特に大きくなる。
【０００５】
また、外部水管を２本使用することにより配管の施工コストが高くなる不都合もあった。
【０００６】
本発明は、上記不都合を解消して、ポンプを小型化しながら、給湯器の浴槽から設置できる距離を拡大することができ、また、配管コストを低減することができる風呂給湯器を提供することを課題とする。
【０００７】
【課題を解決するための手段】
上記課題を解決するために、本発明の風呂給湯器は、給湯器と浴槽とを連結する１本の外部水管と、外部水管と給湯器内部に設けられたリザーブタンクとを連結する内部水管と、内部水管に設けられ、浴槽の水をリザーブタンクへ送ると共にリザーブタンクの水を浴槽へ送るポンプと、内部水管に設けられた熱交換器と、熱交換器を通過する水を加熱するバーナと、浴槽の水の温度を検知する風呂温度センサと、ポンプを作動させて浴槽の所定量の水をリザーブタンクへ送った後に、リザーブタンクの所定量の水をポンプを作動させて熱交換器を経由させてバーナで加熱して浴槽へ送ることを、風呂温度センサによる検知温度が設定温度に達するまで繰り返す制御装置とを備えたことを特徴とする。
【０００８】
本発明では、ポンプを作動させて浴槽の水を１本の外部水管から内部水管を経由させて給湯器内部のリザーブタンクへ送り込む。そして，所定量の浴槽の水をリザーブタンクへ送り込んだ後、そのリザーブタンクに蓄えられた水をポンプを作動させて内部水管へ送り出し、途中の熱交換器を通過する水をバーナで加熱し、外部水管を経由させて浴槽へ送り出す。そして、所定量の水をリザーブタンクから浴槽へ送った後、風呂温度センサにより浴槽の水の温度を検知して、検知温度が設定温度に達した場合には、追い焚きを終了する。一方、検知温度が設定温度に達しない場合には、前記の浴槽の所定量の水をリザーブタンクへ送り込んだ後、リザーブタンクの所定量の水を加熱して浴槽へ送り出す動作を検知温度が設定温度になるまで繰り返す。
【０００９】
本発明によれば、外部水管を１本として、浴槽の給湯器からの設置距離を外部水管の総距離と略同じにした。従って、ポンプ能力を小さくしても、従来の外部水管を２本としたものより給湯器を設置できる距離を拡大することができる。また、外部水管が従来の２本から１本になったので、配管コストが低減され、配管作業も簡易となる。
【００１０】
次に、本発明の風呂給湯器では、前記内部水管が、前記外部水管と前記リザーブタンクとを連結する一対の第１水管及び第２水管と、第１水管と第２水管とを連結する第３水管とからなり、第１水管と第３水管との連結部に、第１水管の浴槽側と第３水管とを連通する水路と第１水管のリザーブタンク側と第３水管とを連通する水路とを切り換える第１三方弁が設けられ、第２水管と第３水管との連結部に、第３水管と第２水管の浴槽側とを連通する水路と第３水管と第２水管のリザーブタンク側とを連通する水路とを切り換える第２三方弁が設けられ、第３水管に第１三方弁側から第２三方弁側へ水を送るポンプが設けられ、第２水管の第２三方弁より浴槽側に前記熱交換器が設けられていることが好適である。そして、前記制御装置が、第１三方弁及び第２三方弁を制御して第１水管の浴槽側から第３水管を経由して第２水管のリザーブタンク側へ向かう水路を形成し、ポンプを作動させて浴槽の所定量の水をリザーブタンクへ送る動作と、第１三方弁及び第２三方弁を制御して第１水管のリザーブタンク側から第３水管を経由して第２水管の浴槽側へ向かう水路を形成し、ポンプを作動させてリザーブタンクの所定量の水を熱交換器を経由させてバーナーで加熱して浴槽へ送る動作とを、前記風呂温度センサによる検知温度が設定温度に達するまで繰り返させる。
【００１１】
本発明によれば、浴槽の所定量の水を熱交換器を経由させずにリザーブタンクへ送り込むので、浴槽の水のリザーブタンクへの送り込みに要する時間を短縮して、追い焚きに要する時間を短縮できる。
【００１２】
また、本発明によれば、第１三方弁側から第２三方弁側へ水を吐き出すポンプを１個設けて、第１三方弁及び第２三方弁を切り換えることにより、浴槽の水をリザーブタンクへ送り込む動作と、リザーブタンクの水を浴槽へ送り出すための動作を切り換えることができる。従って、上記２つの動作を行うポンプを夫々独立して備える必要がない。
【００１３】
更に、本発明の風呂給湯器では、前記外部水管に連結されて浴槽に設けられた給排水口が、外部水管から浴槽への水の入口と、浴槽から外部水管への水の出口とを別個に備え、該入口には、外部水管から浴槽へ水が流入する方向にのみ開く入口弁が設けられ、該出口には、浴槽から外部水管へ水が流出する方向にのみ開く出口弁を設けると共に、該出口弁から外部水管へ流出する水を濾過するためのフィルターが設けられていることが好適である。
【００１４】
本発明によれば、給湯器から送り出される水は外部水管を経由して給排水口の入口から浴槽へ流入する一方で、浴槽の水は給排水口の出口に設けられたフィルターにより濾過されて外部水管へ流出するので、浴槽内のゴミ等が浴槽の水と共に給湯器内へ送り込まれるのを防止できる。
【００１５】
【発明の実施の形態】
本発明の風呂給湯器の一の実施例を図１乃至図３を参照して説明する。図１は本実施例の風呂給湯器のシステム構成図、図２は本実施例の給排水口付近の拡大図、図３は本実施例の作動を説明するためのフローチャートである。
【００１６】
図１において、１は給湯器、２は浴槽、３は給湯器１と浴槽２とを連結する外部水管、４は給湯器１の内部に設けられたリザーブタンク、５は外部水管３とリザーブタンク４とを連結する第１水管、６は外部水管３と第１水管５との連結部とリザーブタンク４とを連結する第２水管、７は第１水管５と第２水管６とを連結する第３水管である。８は第１水管５と第３水管７との連結部に設けられて、第１水管５の浴槽側と第３水管７とを連通する水路（図１中のＣ→Ａ）と、第１水管５のリザーブタンク側と第３水管７とを連通する水路（Ｂ→Ａ）とを切り換える第１三方弁である。９は第２水管６と第３水管７との連結部に設けられて、第３水管７と第２水管６の浴槽側とを連通する水路（Ａ’→Ｃ’）と、第３水管７と第２水管６のリザーブタンク側とを連通する水路（Ａ’→Ｂ’）とを切り換える第２三方弁である。１０は第３水管７に設けられて、第１三方弁８側から第２三方弁９側へ水を送り出すポンプである。１１は第２水管６の第２三方弁９より浴槽側に設けられた熱交換器、１２は熱交換器１１を通過する水を加熱するバーナである。
【００１７】
１３は第３水管７のポンプ１０と第２三方弁９との間に設けられて水の流れを検知する水流スイッチである。１４はリザーブタンク４の水位を検知するリザーブタンク水位センサ、１４ａはリザーブタンク４の水が所定の高水位Ｘになったときに導通する高水位電極、１４ｂはリザーブタンク４の水が所定の低水位Ｙになったときに導通する低水位電極である。１５は第１水管５の第１三方弁８より浴槽側に設けられ、外部水管３を経由して給湯器１の内部の第１水管５へ送り込まれる浴槽２の水の温度を検知するサーミスタ等の風呂温度センサである。１６は給湯器１の追い焚き機能をオン、オフする追い焚きスイッチ、１７は所望の追い焚き温度を設定する温度設定手段である。１８は後に詳述する追い焚き機能の制御装置であり、リザーブタンク水位センサ１４、水流スイッチ１３、風呂温度センサ１５、追い焚きスイッチ１６、温度設定手段１７から信号が制御装置１８に入力され、制御装置１８から各制御信号が第１三方弁８、第２三方弁９、ポンプ１０、バーナ１２に出力される。
【００１８】
１９は浴槽２の水位が上昇して水が溢れるのを防止するために、所定の水位を検知する風呂水位センサである。２０は第１水管５の第１三方弁８よりリザーブタンク４側に設けられ、水が第１三方弁８側からリザーブタンク４側へ逆流するのを防止する逆止弁、２１は第１水管５に連結された浴槽２への湯はり用の水管、２２は第１水管５側から湯はり用の水管２１側への逆流を防止する逆止弁である。
【００１９】
図２において、２３は外部水管３に連結されて浴槽２に設けられた給排水口、２４は外部水管５から浴槽２への水の入口、２５は入口２４に設けられ、外部水管３から浴槽２へ水が流入する方向にのみ開く入口弁、２６は浴槽２の水の外部水管３への出口、２７は出口２６に設けられて、浴槽２の水が外部水管３へ流出する方向にのみ開く出口弁、２８は出口２７から外部水管３へ流出する水を濾過するためのフィルターである。
【００２０】
本実施例では、給湯器１から外部水管３を経由して浴槽２へ送り出される水は、給排水口２３の入口２４から入口弁２５を押し開いて浴槽２内へ流入する。一方、浴槽２から外部水管３を経由して給湯器１へ送り戻される水は、給排水口２３の出口２６から出口弁２７を押し開いて給排水口２３内へ流出し、更に浴槽２の水はフィルター２８を通過して浴槽２内のゴミや汚れを濾過されてから外部水管３へ流出する。これにより、浴槽２の水はゴミや汚れを濾過されて給湯器１に送り戻される。
【００２１】
次に、本実施例の風呂給湯器による追い焚きの作動を説明する。
【００２２】
図３において、給湯器１の追い焚きを開始する場合には、温度設定手段１７により所望の追い焚き温度を設定し、追い焚きスイッチ１６をＯＮにする。この設定温度及び追い焚きスイッチ１６のＯＮの信号が制御装置１８に入力される。
【００２３】
このとき、制御装置１８は、リザーブタンク４の水位が所定の高水位Ｘに達してリザーブタンク水位センサ１４の高水位電極１４ａが導通するまで、図３のＲ→Ｓに示す動作を行う。すなわち、制御装置１８は、まず、第１三方弁８を第１水管５の浴槽側と第３水管７とを連通する水路（Ｃ→Ａ）に切り換えると共に、第２三方弁９を第３水管７と第２水管６のリザーブタンク側とを連通する水路（Ａ’→Ｂ’）に切り換える。そして、ポンプ１０を作動させて第１三方弁８側から第２三方弁９側への吐き出しを行い、浴槽２の水を外部水管３から第１水管５、第１三方弁８、第２三方弁９、第２水管６を経由してリザーブタンンク４へ送り込む。
【００２４】
リザーブタンク４の水位が高水位Ｘに達して、高水位電極１４ａが導通したとき、制御装置１８は、ポンプ１０を停止して、第１三方弁８を第１水管５のリザーブタンク側と第３水管７とを連通する水路（Ｂ→Ａ）に切り換えると共に、第２三方弁９を第３水管７と第２水管６の浴槽側とを連通する水路（Ａ’→Ｃ’）に切り換える。そして、ポンプ１０を作動させて第１三方弁８側から第２三方弁９側への吐き出しを行い、リザーブタンク４の水を第１水管５、第１三方弁８、第３水管７、第２三方弁９から第２水管６の浴槽側へ送り出す。このとき、水流スイッチ１３が水の流れを検知して、その検出信号が制御装置１８に入力されると、制御装置１８はバーナ１２を着火して追い焚き燃焼を開始する。そして、熱交換器１１を通過する水をバーナ１２で加熱して、外部水管３を経由して浴槽２へ送り出す。
【００２５】
次に、リザーブタンク４の水位が所定の低水位Ｙまで低下して、リザーブタンク水位センサ１４の低水位電極１４ｂが導通したとき、制御装置１８は、バーナ１２を消火し、ポンプ１０を停止して、再び、第１三方弁８及び第２三方弁９を切り換えて、第１水管５の浴槽側から第３水管７を経由して第２水管６のリザーブタンク側へ向かう水路（Ｃ→Ａ→Ａ’→Ｂ’）を形成する。そして、ポンプ１０を作動させて浴槽２の水をリザーブタンク４へ送り込む。
【００２６】
そして、リザーブタンク４の水位が高水位Ｘまで上昇して高水位電極１４ａが導通したとき、再び、図３のＰ→Ｑに示す追い焚き動作を行う。すなわち、リザーブタンク４の水位が低水位Ｙまで低下して低水位電極１４ｂが導通するまで、リザーブタンク４の水を加熱して浴槽２へ送り出し、次いで、リザーブタンク４の水位が高水位Ｘまで上昇して高水位電極１４ａが導通するまで、浴槽２の水をリザーブタンク４へ送り戻す。
【００２７】
そして、リザーブタンク４が高水位Ｘに達して高水位電極１４ａが導通したとき、制御装置１８は、ポンプ１０を停止すると共に、風呂温度センサ１５による検知温度と温度設定手段１７による前記設定温度とを比較して温度判定を行う。そして、検知温度が前記設定温度に達した場合には、追い焚きを終了する。一方、検知温度が設定温度に達しない場合には、検知温度が設定温度に達するまで、再び、前記Ｐ→Ｑの追い焚き動作を行った後、風呂温度センサ１５による検知温度と温度設定手段１７による設定温度を比較するとの動作を繰り返す。
【００２８】
なお、本実施例では、前記Ｐ→Ｑの追い焚き動作を２回行った後に、風呂温度センサ１５による検知温度と温度設定手段１７による設定温度との比較判断を行っているが、これに限らず、前記Ｐ→Ｑの追い焚き動作を１回行った後に、前記検知温度と設定温度との比較判断を行ってもよい。
【００２９】
また、本実施例は、内部水管を前記の第１水管５、第２水管６、及び第３水管７から構成し、第１三方弁８及び第２三方弁９を切り換えることにより、浴槽２の水のリザーブタンク４への送り込み動作と、リザーブタンク４の水の浴槽２への送り込み動作を行っている。しかしながら、本発明はこれに限らず、内部水管を外部水管とリザーブタンクとを連結する一対の水管から構成し、一方の水管に浴槽の水をリザーブタンクへ送り込むポンプを設け、他方の水管にリザーブタンクの水を浴槽の水へ送り出す別のポンプを設けてもよい。
【００３０】
また、本発明では、外部水管とリザーブタンクとを一本の内部水管で連結し、この内部水管に、水の吐き出し方向を、浴槽側からリザーブタンク側への方向とリザーブタンク側から浴槽側への方向とに切り換えることが可能なポンプを設けたものでもよい。
【図面の簡単な説明】
【図１】本発明の一実施例の風呂給湯器のシステム構成図。
【図２】図１の実施例の給排水口付近の拡大図。
【図３】図１の実施例の作動を説明するためのフローチャート。
【符号の説明】
１・・給湯器、２・・浴槽、３・・外部水管、４・・リザーブタンク、５・・第１水管、６・・第２水管、７・・第３水管、８・・内部水管、８・・第１三方弁、９・・第２三方弁、１０・・ポンプ、１１・・熱交換器、１２・・バーナ、１３・・水流スイッチ、１４・・リザーブタンク水位センサ、１４ａ・・高水位電極、１４ｂ・・低水位電極、１５・・風呂温度センサ、１６・・温度設定手段、１８・・制御装置、２３・・給排水口、２４・・入口、２５・・入口弁、２６・・出口、２７・・出口弁、２８・・フィルター
【図１】
0003720114.tif 000002
【図２】
0003720114.tif 000003
【図３】
0003720114.tif 000004